(57)【特許請求の範囲】
【請求項１】
第一シートとこの第一シートの片面に貼り合わされた第二シートとからなる台紙本体と、前記台紙本体に貼着されて、熱収縮により被包装物を保持可能なシュリンクフィルム筒体とを備え、
前記第二シートは下辺側に折り部を介して連接された脚板を有していて、前記脚板の前記第一シートの下辺から離間する方向への折り起こしにより第一シートと第二シートとの間が開いた支脚部が、台紙本体の下部に位置し、
前記第二シートにおける前記折り部に沿った位置に、この折り部の長手方向を筒長手方向とするシュリンクフィルム筒体が貼着されていることを特徴とするシュリンクフィルム付き台紙。
【請求項２】
上記シュリンクフィルム筒体が、上記第一シートと上記第二シートとの貼り合わせ領域内で上記折り部に沿った位置に貼着されている請求項１に記載のシュリンクフィルム付き台紙。
【請求項３】
上記シュリンクフィルム筒体が、上記脚板に貼着されていて、上記第一シートと上記第二シートとの貼り合わせ領域に、上記折り部の位置を開口縁の下縁高さ位置とする開口部が設けられている請求項１に記載のシュリンクフィルム付き台紙。
【発明の詳細な説明】
【技術分野】
【０００１】
本発明は、熱収縮することで被包装物を包み込むシュリンクフィルム筒体が取り付けられている台紙に関するものである。
【背景技術】
【０００２】
従来、小物の商品を展示販売する際に用いる台紙において、熱を加えることで熱収縮して被包装物を包み込んで保持するシュリンクフィルム筒体とこのシュリンクフィルム筒体が取り付けられた台紙本体とを備えるシュリンクフィルム付き台紙が多く利用されている。
【０００３】
そして特許文献１においては、シュリンクフィルム筒体に被包装物を包み込ませる熱収縮をするときに台紙の下部における一部を脚として前方に引き出されるようにして自立可能となる形態が得られる提案が示されている。
【０００４】
さらに特許文献２においては、台紙の左右側辺を台紙後方に向けて折り倒すことでその台紙の下辺中央部が台紙前方に自動的に折り出されるようにした構成を有していて、台紙後方への折り出しと台紙の下辺中央部が台紙前方に折り出された状態となることで自立できる点が示されている。
【先行技術文献】
【特許文献】
【０００５】
【特許文献１】特開２０１２−０２５４８３号公報
【特許文献２】特開２０１５−１６８４４６号公報
【発明の概要】
【発明が解決しようとする課題】
【０００６】
しかしながら特許文献１に示された技術においては、脚部分の前方への引き出しがシュリンクフィルム筒体の熱収縮に伴なうものであるため、脚が確実に前方に引き出されるものとはなり難く、自立状態が安定しない台紙が形成されるという不具合がある。
【０００７】
また特許文献２に示された技術においては、具体的には台紙に折り罫や切り込みを入れるものとなるが、台紙の下辺中央部が折り出されるようにするための折り罫の配置が複雑なものとなってしまい、やはりこの場合も台紙前方への折り出しが不確実なものとなり易いという不具合がある。
【０００８】
そこで本発明は上記事情に鑑み、シュリンクフィルム筒体を取り付けた台紙において安定した自立状態が得られるようにすることを課題とし、簡単な構成で自立して、被包装物に対するアイキャッチ効果が良好な台紙を提供することを目的とするものである。
【課題を解決するための手段】
【０００９】
本発明は上記課題を考慮してなされたもので、第一シートとこの第一シートの片面に貼り合わされた第二シートとからなる台紙本体と、前記台紙本体に貼着されて、熱収縮により被包装物を保持可能なシュリンクフィルム筒体とを備え、
前記第二シートは下辺側に折り部を介して連接された脚板を有していて、前記脚板の前記第一シートの下辺から離間する方向への折り起こしにより第一シートと第二シートとの間が開いた支脚部が、台紙本体の下部に位置し、
前記第二シートにおける前記折り部に沿った位置に、この折り部の長手方向を筒長手方向とするシュリンクフィルム筒体が貼着されていることを特徴とするシュリンクフィルム付き台紙を提供して、上記課題を解消するものである。
【００１０】
そして本発明は、上記シュリンクフィルム筒体が、上記第一シートと上記第二シートとの貼り合わせ領域内で上記折り部に沿った位置に貼着されているものとすることが可能である。
【００１１】
また本発明は、上記シュリンクフィルム筒体が、上記脚板に貼着されていて、上記第一シートと上記第二シートとの貼り合わせ領域に、上記折り部の位置を開口縁の下縁高さ位置とする開口部が設けられているものとすることが可能である。
【発明の効果】
【００１２】
本発明によれば、脚板を第一シートから離れる方向への折り起こしして台紙本体の下部に支脚部を設けているものであって構造が簡単であり、簡易な操作で確実に支脚部が形成されて台紙自体の自立性が頗る良好なものとなる。
【００１３】
また脚板が折り出されていることで折り部の長さ方向での強度が向上しており、シュリンクフィルム筒体がこの筒体の長さ方向に縮む際の引張力（収縮）による台紙の撓みを抑えて、台紙の外観が損なわれないようになるという効果を奏する。
【図面の簡単な説明】
【００１４】
【図１】本発明に係るシュリンクフィルム付き台紙の第一の実施の例を台紙本体の展開状態で示す説明図である。
【図２】第一の実施の例における使用状態を示す説明図である。
【図３】第二の実施の例を台紙本体の展開状態で示す説明図である。
【図４】第二の実施の例における使用状態を示す説明図である。
【発明を実施するための形態】
【００１５】
つぎに本発明を図１から図４に示す実施の例に基づいて詳細に説明する。図中１は本発明に係るシュリンクフィルム付き台紙で、該台紙１は一枚のシート材を折り合わせて貼り合わせてなる台紙本体２と、熱を加えることで熱収縮して内部に収容した被包装物を包み込んで保持することができるようにしたシュリンクフィルム筒体３とを備えているものである。
【００１６】
（第一の実施例）
上記台紙本体２は、図１に示されているように第一シート４とこの第一シート４の上辺に上部折り部５を介して連接された第二シート６とからなり、上部折り部５から折りわせて貼り合わされてなるものである。そして、第二シート６は、この第二シート６の中央部分より下辺側に寄った位置で上部折り部５と平行にした折り部７が設けられていて、この折り部７から下辺側にこの折り部７を介して連接された脚板８を有している。
【００１７】
第一シート４と第二シート６との台紙本体２を形成前の形態において、第一シート４の台紙高さ方向（上部折り部に直交する方向）での長さ寸法４ａより第二シート６の長さ寸法６ａが大とされ、第二シート６での上辺（上部折り部５）から折り部７までの長さ寸法６ｂが、第一シート４の長さ寸法４ａより小とされている。図１において第一シート４での前記第二シート６における長さ寸法６ｂと同じ長さを長さ寸法４ｂとして示した。
【００１８】
さらに第一シート４と第二シート６とを重ね合わせし、第一シート４における上部折り部５から前記折り部７に対応する位置までの領域となる面板部分４ｃ（上面折り部から長さ寸法４ｂで示す部分までの領域）と、第二シート６における上部折り部５から折り部７までの領域となる面板部分６ｃとが貼り合わされている。
【００１９】
そして台紙本体２においては、第二シート６の脚板８が第一シート４の下辺から離間する方向に折り起こしされていて、この脚板８の折り起こしによって台紙本体２の下部に第一シート４と第二シート６との間が開いた支脚部９を設けており、支脚部９をフラットな棚板などに接地させることで台紙本体２が自立するように設けられている。
【００２０】
また、第二シート６の面板部分６ｃにおける折り部７に沿った位置に上記シュリンクフィルム筒体３が取り付けられて、この第二シート６での第一シート４と上記第二シート６との貼り合わせ領域１０内に位置しており、このシュリンクフィルム筒体３の筒長手方向を折り部７の長手方向と平行にして一部分が帯状に貼着されている。
【００２１】
図２においては、説明を容易にするために、熱収縮したシュリンクフィルム筒体３に包み込まれて保持される被包装物は略円柱状のものとして不図示の状態としている。台紙１と被包装物とを組み合わせるときには、未収縮のシュリンクフィルム筒体３の一方の開口からそのシュリンクフィルム筒体３の筒体長手方向に被包装物を挿入し、その状態で所定の温度で加熱することで熱収縮したシュリンクフィルム筒体３が被包装物を包み込んで保持する。そして透明なシュリンクフィルムを通して横置き状態の被包装物を第二シート６側で視認できるようにしている。
【００２２】
このように上述したシュリンクフィルム付き台紙１は、上記第二シート６を正面側として折り部７に沿った位置に被包装物を配した状態のものとなって安定して自立でき、被包装物に対するアイキャッチ効果が高められる。
【００２３】
（第二の実施例）
図３と図４とは第二の実施の例を示している。台紙本体２となる一枚のシート材が図３に示されていて、この第二の実施の例にあっては自立した状態で第二シート６側に傾くように第一シート４の長さ寸法が上記第一の実施の例の場合より長く形成されている。またこの第二の実施の例においては、台紙本体２での第一シート４と第二シート６との貼り合わせ領域１０に開口部１１が設けられている。
【００２４】
台紙本体２の上記開口部１１はその開口縁の下縁高さ位置を第二シート６の折り部７の高さ位置に揃えている。そして、シュリンクフィルム筒体３が、脚板８での折り部７側に寄った位置にして、かつこの折り部７の長さ方向に筒体長さ方向を平行にした状態にして貼り合わされており、シュリンクフィルム筒体３と脚板８との貼り合わせ部分は帯状にしている。
【００２５】
この第二の実施の例でも、第一の実施の例と同じく台紙本体２の下部に位置して脚板８を折り出して支脚部９が形成され、この支脚部９における脚板８に、シュリンクフィルム筒体３が包み込んだ被包装物が配置されている。その被包装物は開口部１１の開口縁の下縁に対応位置することとなり、後倒状態となる第一シート４を正面とし、その第一シート４での開口部１１の部分を通して被包装物を目視できる状態にしている。
【００２６】
第二の実施の例において、シュリンクフィルム付き台紙１は、後倒状態の第一シート４を正面側としながらも、脚板８の折り部７に沿った位置に被包装物を配した状態のものとなって安定して自立でき、第一シート４に施す装飾を付加した状態で被包装物に対するアイキャッチ効果が高められる。
【符号の説明】
【００２７】
１…シュリンクフィルム付き台紙
２…台紙本体
３…シュリンクフィルム筒体
４…第一シート
５…上部折り部
６…第二シート
７…折り部
８…脚板
９…支脚部
１０…貼り合わせ領域
１１…開口部
【図１】
0006642151.tif 000002
【図２】
0006642151.tif 000003
【図３】
0006642151.tif 000004
【図４】
0006642151.tif 000005